(57)【要約】【課題】  無料番組だけを表示させた番組表を表示して、少ない無料番組を確実に視聴することができる放送受信装置を提供する。【解決手段】  放送信号を受信し、これを復調して映像音声信号を出力するチューナ部１２，１３と、チューナ部が受信した放送信号から、番組情報とその番組が無料か否かを示す無料番組情報を取得する取得部１１，４３と、無料番組情報に基づき、取得部が取得した番組情報の中の無料番組のみを表示する番組表（図２−図５）を画面表示させるための表示信号を生成する生成部４３とをもつ放送受信装置。【選択図】図１
2007208307.tif 000002
【特許請求の範囲】
【請求項１】
デジタル放送信号を受信し、これを復調して映像音声信号を出力するデジタルチューナ部と、
前記デジタルチューナ部が受信した前記放送信号から、番組情報とその番組が無料か否かを示す無料番組情報を取得する取得部と、
前記無料番組情報に基づき、前記取得部が取得した前記番組情報の中の無料番組のみを表示する番組表を画面表示させるための表示信号を生成する生成部と、
を具備することを特徴とする放送受信装置。
【請求項２】
前記生成部は、ＢＳデジタル放送について、無料番組だけを表示し有料番組を表示しない番組表を画面表示させるための表示信号を生成することを特徴とする請求項１記載の放送受信装置。
【請求項３】
前記生成部は、ＢＳデジタル放送について、複数の無料番組だけを表示する番組表を画面表示させるための表示信号を生成することを特徴とする請求項１記載の放送受信装置。
【請求項４】
前記生成部は、ＣＳ１１０度デジタル放送について、無料番組だけを表示し有料番組を表示しない番組表を画面表示させるための表示信号を生成することを特徴とする請求項１記載の放送受信装置。
【請求項５】
前記生成部は、ＣＳ１１０度デジタル放送について、複数の無料番組だけを表示した番組表を画面表示させるための表示信号を生成することを特徴とする請求項１記載の放送受信装置。
【請求項６】
前記生成部は、リモコンに設けられたキーが押下されることで、ＢＳ放送の無料番組だけを表示し有料番組を表示しない番組表と、ＢＳ放送の複数の無料番組だけを表示する番組表と、ＣＳ１１０度デジタル放送の無料番組だけを表示し有料番組を表示しない番組表と、ＣＳ１１０度デジタル放送の複数の無料番組だけを表示する番組表のどれか一つを表示するべく制御することを特徴とする請求項１記載の放送受信装置。
【請求項７】
デジタル放送信号を受信し、これを復調して映像音声信号を出力するデジタルチューナ部と、
前記デジタルチューナ部が受信した前記放送信号から、番組情報とその番組が無料か否かを示す無料番組情報を取得する取得部と、
前記無料番組情報に基づき、前記取得部が取得した前記番組情報の中の無料番組のみを表示する番組表を画面表示させるための表示信号を生成する生成部と、
前記生成部が生成した前記番組表の無料番組に応じて録画予約を行い、この録画予約に応じた前記デジタルチューナ部からの前記映像音声信号を記憶領域に記録する予約録画部と、を具備することを特徴とする放送記録装置。
【請求項８】
デジタル放送信号を受信し、このデジタル放送信号から番組情報とその番組が無料か否かを示す無料番組情報を取得し、
前記無料番組情報に基づき、前記番組情報の中の無料番組のみを表示する番組表により画面表示させることを特徴とする放送受信方法。
【請求項９】
デジタル放送信号を受信し、このデジタル放送信号から番組情報とその番組が無料か否かを示す無料番組情報を取得し、
前記無料番組情報に基づき、前記番組情報の中の無料番組のみを表示する番組表を画面表示させ、
前記番組表の無料番組に応じて録画予約を行い、この録画予約に応じたデジタル放送信号を復調して得た映像音声信号を記憶領域に記録することを特徴とする放送記録方法。
【発明の詳細な説明】
【技術分野】
【０００１】
この発明は、電子番組情報を受けこれに応じて放送情報を記録する放送記録装置に関し、特に、無料番組を表示する番組表を表示し利用する放送受信装置、放送記録装置、放送受信方法及び放送記録方法に関する。
【背景技術】
【０００２】
最近、デジタル機器の普及と共にハードディスクレコーダ等の放送受信装置が一般化しつつあり、従来のＶＴＲ（Video Tape Recorder）による記録再生処理の場合よりも、多くの映像情報を容易に記録・再生することが可能となってきている。このような放送受信装置においては、放送局又はサーバから供給される電子番組情報（Electronic Program Guide）を活用して、留守録画処理を更に容易に行うことが可能となってきている。
【０００３】
ここで、特許文献１においては、電子番組情報に応じて生成される番組表は、その番組が有料番組か無料番組かの表示を伴う場合が示されており、これによりユーザは、番組の課金条件を知って視聴するかどうかを判断することができる。
【特許文献１】特願平１０−１２００５８号公報。
【発明の開示】
【発明が解決しようとする課題】
【０００４】
しかし、上記した従来技術においては、例えば、ＣＳ番組等のように、原則として有料番組が非常に多く、そのため、たまに無料番組があった場合でも、無料番組が番組表に埋もれてしまって、無料番組があることにユーザが気づかないという問題がある。
【０００５】
本発明は、有料番組は番組表には表示せず、無料番組だけを表示させた番組表を提供して、無料番組だけを確実に視聴することができる放送受信装置、放送記録装置、放送受信方法、放送記録方法を提供することを目的とする。
【課題を解決するための手段】
【０００６】
本発明の一実施形態は、放送信号を受信し、これを復調して映像音声信号を出力するデジタルチューナ部と、前記デジタルチューナ部が受信した前記放送信号から、番組情報とその番組が無料か否かを示す無料番組情報を取得する取得部と、前記無料番組情報に基づき、前記取得部が取得した前記番組情報の中の無料番組のみを表示する番組表を画面表示させるための表示信号を生成する生成部とを具備することを特徴とする放送受信装置である。
【発明の効果】
【０００７】
有料番組に埋もれてしまいがちな無料番組を判りやすく表示して、ユーザの無料番組の視聴の機会を向上させる放送受信装置を提供する。
【発明を実施するための最良の形態】
【０００８】
以下、この発明の実施の形態について図面を参照して詳細に説明する。  
図１は、本発明の一実施形態に係る放送記録装置の構成の一例を示すブロック図、図２は、同じく放送記録装置が表示するＢＳ無料番組表の一例を示す説明図、図３は、同じく放送記録装置が表示するＢＳ無料番組表（密表示）の一例を示す説明図、図４は、同じく放送記録装置が表示するＣＳ無料番組表の一例を示す説明図、図５は、同じく放送記録装置が表示するＣＳ無料番組表（密表示）の一例を示す説明図、図６は、同じく放送記録装置が扱うリモコン装置の一例を示す説明図、図７は、同じく放送記録装置における番組表の表示動作の一例を示すフローチャート、図８は、同じく放送記録装置が表示する録画予約画面の一例を示す説明図である。
【０００９】
＜本発明の一実施形態に係る放送記録装置＞
（構成）
初めに、図１の放送受信装置１０は、一例として、チューナ等をソースとして記録機能を有するデジタルテレビジョンが示されているが、必ずしも記録機能を有している必要はない。又、放送受信装置１０は、チューナ等と記録機能とをもったハードディスクレコーダであることも好適である。
【００１０】
従って、以下の図１を用いた実施形態の説明においては、記録機能をもったデジタルテレビジョンとして詳細に説明を行なうが、図１からディスプレイ２６を分離することで、全く同様の機能をもったハードディスクレコーダとしての説明と解釈することが可能である。
【００１１】
図１において、デジタルテレビジョンである放送受信装置１０は、２種類のディスクドライブを有する。第1のメディアとしてハードディスクＨを駆動するハードディスクドライブ部１９と、第２のメディアとしてビデオファイルを構築できる情報記録媒体であるの光ディスクＤを回転駆動し、情報の読み書きを実行する光ディスクドライブ部１９を有している。又、制御部３０は、全体の動作を司るべくデータバスＢを介して各部に接続されている。しかし、本発明を実施する場合において、光ディスクドライブ部１９は必ずしも必要な構成ではない。
【００１２】
又、図１の放送受信装置１０は、録画側を構成するエンコーダ部２１と、再生側を構成するＭＰＥＧデコーダ部２３と、装置本体の動作を制御する制御部３０とを主たる構成要素としている。放送受信装置１０は、入力側のセレクタ１６と出力側のセレクタ１７とを有しており、入力側のセレクタ１６には、ＬＡＮ等の通信部１１と、いわゆる衛星放送（ＢＳ／ＣＳ）デジタルチューナ部１２と、いわゆる地上波デジタル／アナログチューナ部１３とが接続され、エンコーダ部２１に信号を出力する。又、ＢＳ／ＣＳデジタルチューナ部１２には衛星アンテナが、地上波デジタル／アナログチューナ部１３には地上波アンテナが接続されている。又、放送受信装置１０は、エンコーダ部２１と、エンコーダ部２１の出力を受け、データ編集等の所望のデータ処理を行う信号編集部２０、信号編集部２０に接続されるハードディスクドライブ部１８、光ディスクドライブ部１９を有している。更に、放送受信装置１０は、ハードディスクドライブ部１８、光ディスクドライブ部１９からの信号を受けてデコードするＭＰＥＧデコーダ部２３と、エンコーダ部２１、バッファ部２２、ＭＰＥＧデコーダ部２３、多重化部２８、分離部２９、制御部３０、関連コンテンツ制御部４２、予約録画部・無料番組判断部４３を有している。これらの各部は、データバスＢを介して制御部３０に接続されている。更に、セレクタ部１７の出力は、ディスプレイ２６に供給されるか、外部装置との通信を行うインタフェース部２７を介して、外部装置に供給される。
【００１３】
更に、放送受信装置１０は、データバスＢを介して制御部３０に接続され、ユーザの操作やリモコンＲの操作を受ける操作部３２を有している。ここで、リモコンＲは、放送受信装置１０の本体に設けられる操作部３２とほぼ同等の操作を可能とするものであり、ハードディスクドライブ部１８や光ディスクドライブ部１９の記録再生指示や、編集指示、又、チューナの操作、予約録画の設定等、各種設定が可能である。
【００１４】
（番組情報提供サーバ）
又、更に、放送受信装置１０に通信部１１等を介して番組情報を提供する番組情報提供サーバＳについて説明する。番組情報提供サーバＳは、放送番組名を識別するための番組識別情報と、この番組識別情報に対応した番組の放送時刻情報（例えば、放送開始時刻と放送時間、又、無料番組情報等を含む）とを含む番組情報を入力する番組情報登録部５１と、番組情報登録部５１で入力された番組情報を格納する番組情報格納部５２と、番組情報格納部５２に格納された情報をネットワーク等を介して、所望の端末に送信する通信部５３とを有している。
【００１５】
このような構成を有する番組情報提供サーバＳは、一般に、サービスを提供する組織の施設として設けられるものであり、予め、放送番組と放送番組の番組識別情報と放送時刻情報を含む番組情報がアップロードされている。そして、この番組情報に変更が生じると、即座に番組情報登録部５１により変更情報を入力して、番組情報格納部５２の更新処理を行う。この時、すでに番組情報提供サーバＳに保持された番組情報と同一の番組識別情報をもつ番組情報が入力された場合、番組情報提供サーバＳは、番組情報格納部５２に保持された番組情報を最新のものに置き換えるものである。
【００１６】
番組情報提供サーバＳは、通信部５３を介して、例えばインターネットを中継しモデムＭを介して、又は図１に示すように、番組情報を放送局Ｔに提供し、放送局Ｔの放送信号（地上波デジタル、地上波アナログ、衛星放送デジタル、衛星放送アナログ等）に重畳させて放送受信装置１０に番組情報等を提供するものである。
【００１７】
（基本動作）
・放送コンテンツ再生
このような構成のデジタルテレビジョンである放送受信装置１０において、ユーザのリモコンＲ又は操作部３２の操作に応じた操作信号に従って、制御部３０等の制御下において、放送信号を受信しＢＳ／ＣＳチューナ１２又は地上波デジタル／アナログチューナ部１３からの放送コンテンツをディスプレイ２６に表示する。
【００１８】
・記録処理
次に、記録時の動作について、他の実施形態も含めて詳細に説明する。放送受信装置１０の入力側として、ＬＡＮ等の通信部１１は、外部機器と接続して、例えばモデムＭ等を介しインターネット等の通信路を経由して番組情報提供サーバＳ等と通信を行ったり、放送コンテンツ等をダウンロードしたりする。又、ＢＳ／ＣＳデジタルチューナ部１２、地上波デジタル／アナログチューナ部１３は、アンテナを介して放送信号を選局し復調して映像信号及び音声信号を入力するもので、広範な種類の放送信号に対応する。例えば、地上波アナログ放送、地上波デジタル放送、ＢＳアナログ放送、ＢＳデジタル放送、ＣＳデジタル放送等に及ぶものであり、これに限るものではない。又、必ずしも一つだけを設けるものではなく、例えば、地上波放送のチューナ部や、ＢＳ／ＣＳチューナ部を２つ又は３つ以上を有し、予約録画の要求に応じて平行して機能させる場合も含んでいる。
【００１９】
又、先の通信部１１は、ＩＥＥＥ１３９４インタフェースであってもよく、ネットワーク上の外部機器からデジタルコンテンツを受けることが可能である。又、図示しない入力端部から、輝度信号や色差信号、コンポジット等の映像信号、音声信号を受けることも可能である。これらは、制御部３０等で制御されるセレクタ１６により、入力が制御されて、エンコーダ部２１に選択的に供給される。
【００２０】
エンコーダ部２１は、セレクタ１６により入力されたアナログビデオ信号やアナログオーディオ信号をデジタル化するビデオ用及びオーディオ用のアナログデジタルコンバータと、ビデオエンコーダと、オーディオエンコーダとを有する。更に、副映像エンコーダも含む。エンコーダ部２１の出力は、所定のＭＰＥＧ等の圧縮フォーマットに変換され、先の制御部３０に供給される。
【００２１】
又、ＢＳ／ＣＳデジタルチューナ１２等は、必ずしも内蔵されている必要はなく、データ入力端子を介して外付けされて、受信したデジタル信号をセレクタ部１６を介してエンコーダ部２１や制御部３０に供給することも好適である。
【００２２】
ここで図１の装置は、エンコーダ部２１でエンコードされた情報（ビデオ、オーディオ、副映像データなどのパック）及び作成された管理情報を、制御部３０を介してハードディスクドライブ部１８又は光ディスクドライブ部１９に供給し、ハードディスクドライブ部１８、又は、光ディスクＤに記録することができる。又、ハードディスクドライブ部１８や光ディスクＤに記録された情報を、制御部３０、光ディスクドライブ部１９を介して光ディスクＤやハードディスクドライブ部１８に記録することもできる。
【００２３】
信号編集部２０により、ハードディスクドライブ部１８や光ディスクＤに記録されている複数番組のビデオ・オブジェクトを、一部削除したり、異なる番組のオブジェクトをつなげたり、といった編集処理を行うこともできる。
【００２４】
・再生処理等  
次に、主に記録された情報の再生処理について、他の実施形態も含めて詳細に説明する。ＭＰＥＧデコーダ部２３は、デコードされた主映像にデコードされた副映像を適宜合成し、主映像にメニュー、ハイライトボタン、字幕やその他の副映像を重ねて出力するビデオプロセッサを備えている。
【００２５】
ＭＰＥＧデコーダ部２３の出力オーディオ信号は、セレクタ部１７を介して図示しないデジタルアナログ変換器でアナログ変換されてスピーカに供給されるか、Ｉ／Ｆ部２７を介して外部装置に供給される。セレクタ部１７は、制御部３０からのセレクト信号により制御される。これによりセレクタ部１７は、各チューナ部１２，１３からのデジタル信号を直接モニタする時、エンコーダ部２１をスルーした信号を直接選択することも可能である。
【００２６】
・予約録画処理
又、通信部１１やチューナ１２，１３から取得した電子番組情報に基づいて、予約録画部（番組表生成部）４３によりユーザのリモコンＲ等の操作により特定した番組に応じて、録画予約処理が可能であると共に、取得した電子番組情報に基づく番組表を画面表示することが可能となる。又、予約された予約録画情報に基づいて、制御部３０及び予約録画部４３の働きにより、予約時刻になると、ＢＳ／ＣＳデジタルチューナ部１２又は地上波デジタル／アナログチューナ部１３が受信した番組情報が復調された映像音声信号が、エンコーダ２１等のエンコード処理を経て、例えば、ハードディスクドライブ部１８に記録（予約録画）される。
【００２７】
この実施形態の放送受信装置１０は、このように総合的な機能を有しており、複数のソースに対して光ディスクＤ又はハードディスクドライブ部１８による記録・再生処理を行うものである。
【００２８】
＜本発明の一実施形態に係る番組表の表示機能＞
次に、本発明の一実施形態に係る番組表の表示機能について、図面を用いて詳細に説明する。本発明の一実施形態は、地上波、ＢＳ放送、ＣＳ放送等の通常の番組表の表示機能の他に、ＢＳ放送又はＣＳ放送等の無料放送のみの表示機能をもたせるものである。これにより、有料放送が圧倒的に多い例えばＣＳ放送において、一般ユーザの利用率を向上させることが可能となる。
【００２９】
すなわち、例えば、有料放送が圧倒的に多いＣＳ放送において、有料放送の契約を行なっていない一般ユーザもＣＳ放送に馴染んでもらうために、各ＣＳ放送局では、一日に数回等、無料放送を設けている。しかし、一般ユーザが電子番組表を閲覧しても、有料放送の方が圧倒的に多いため、電子番組表からでは無料放送が存在することが気づきにくく、そのため、一般ユーザにとっては、ＣＳ放送等は馴染みにくい有料放送というイメージが定着しており、めったにアクセスしないチャンネルとなってしまうというのが現状である。
【００３０】
そこで、ＣＳ放送等において、専用の無料番組表のスイッチ等をリモコン等に設けるなどして、無料放送のみを番組表に表示することで、ＣＳ放送を視聴するきっかけを一般ユーザに与えることが可能となり、ＣＳ放送の無料番組を容易に視聴することが可能となり、これにより、停滞気味であるＣＳ有料放送等の普及を促進することにもなる。
【００３１】
（表示機能）
次に、図７のフローチャートを用いて、図２乃至図５の無料番組表を詳細に説明する。図７のフローチャートにおいて、初めに、放送受信装置１０に電源が投入されると、チューナ１２，１３から出力される放送信号中から、電子番組情報（ＳＩ／ＰＳＩ情報）を取得する(ステップＳ１１)。又はインターネットや通信部１１を介して、番組情報提供サーバＳから直接、電子番組情報を取得することも好適である。次に、図６のリモコンＲ等の番組表５１等のスイッチの押下により、番組表の表示指示があれば(ステップＳ１２)、電子番組情報であるＳＩ／ＰＳＩ情報に基づいて、番組表を表示するための映像信号を生成する(ステップＳ１３)。この番組表５１のスイッチは、地上波、ＢＳ、ＣＳに限定されることなく、操作に応じて順に地上波、ＢＳ、ＣＳの通常の番組表を表示するものである。
【００３２】
ここで、ＳＩ（Service Information）は、番組配列情報であり、番組選択の利便性のために規定された各種情報である。総務省令で定義され、内容はＡＲＩＢ規格として規定されている。ＡＲＩＢ規格独自の拡張部分に加えて、ＭＰＥＧ−２のＰＳＩ情報も含まれる。
【００３３】
又、ＰＳＩ（Program Specific Information）は、番組特定情報であり、所要の番組を選択するために必要な情報で、ＰＡＴ、ＰＭＴ、ＮＩＴ、ＣＡＴの４つのテーブルからなる。ＭＰＥＧ−２システムズ規格、総務省令で規定されている。ここで、各番組が有料番組であるか無料番組であるかの管理情報も、ＰＳＩに含まれているが、必ずしもＰＳＩに含めた状態で利用する必要はない。
【００３４】
ステップＳ１２において、番組表５１のスイッチの押下がなく、ＢＳ無料番組表５２又はＣＳ無料番組表５４のスイッチの押下により、番組表の表示指示があれば(ステップＳ１４)、ＳＩ／ＰＳＩ情報に基づいて、ＢＳ放送又はＣＳ放送の無料番組のみの番組表を表示するための映像信号を生成する(ステップＳ１５)。これにより、ＢＳ放送であれば、図２の例えば『ワウラウ』チャンネルに示すように、有料番組は削除されて表示されず、無料番組『ＢＢＣ地球伝説』だけが表示されている。又、『スタアチャンネル』に示すように、有料番組は削除されて表示されず、無料番組『エバーウッド遥かなるコロラド』だけが表示されている。なお、有料放送が初めから存在しない『ＭＨＫ１』、『ＭＨＫ１』、『ＭＨＫ１』、『ＢＳ日テル』等は、全ての番組が表示されている。
【００３５】
又、ＣＳ放送であれば、図４の例えば『ＡＱステーション』チャンネルに示すように、有料番組は削除されて表示されず、その電子番組情報が含んでいる無料番組のタイトルである無料番組『郷土劇場  踊れわれら宮城○○○』が表示されている。同様に、各チャンネルにおいて、有料番組は削除されて表示されず、その電子番組情報が含んでいる無料番組のタイトルが表示されている。これにより、ユーザは、各チャンネルのＣＳ放送の数少ない無料放送だけを容易に知ることができるため、今まで利用されなかったＢＳ放送やＣＳ放送の視聴を行なうことができる。
【００３６】
次に、ステップＳ１４において、ＢＳ無料番組表５２又はＣＳ無料番組表５４のスイッチの押下がなく、ＢＳ全無料番組表５３又はＣＳ全無料番組表５５のスイッチの押下により、番組表の表示指示があれば(ステップＳ１６)、ＳＩ／ＰＳＩ情報に基づいて、ＢＳ放送又はＣＳ放送の全無料番組のみの番組表を表示するための映像信号を生成する(ステップＳ１７)。
【００３７】
これにより、ＢＳ放送であれば、図３の例えば『ワウラウ』チャンネルに示すように、有料番組は削除されて表示されず、その電子番組情報が含んでいる全ての無料番組のタイトルである無料番組『ＰＭ８：００からのＢＢＣ地球伝説』、無料番組『ＰＭ１１：００からの５．１サラウンド』、無料番組『２月２日ＡＭ１０：３０からのＴＨＥ  Ｆ１』、無料番組『２月２日ＰＭ１：００からのドラマ１０エースをねらえ！』が表示されている。又、『スタアチャンネル』に示すように、有料番組は削除されて表示されず、その電子番組情報が含んでいる全ての無料番組のタイトルである無料番組『ＰＭ１０：００からのエバーウッド遥かなるコロラド』、無料番組『２月２日のＡＭ９：３０からのＩ−ｓｔｙｌｅ  ＴＲＡＶＥＬ』、無料番組『２月２日のＰＭ９：００からの封印された事実』だけが表示されている。
【００３８】
又、ＣＳ放送であれば、図５の例えば『ＡＱステーション』チャンネルに示すように、有料番組は削除されて表示されず、その電子番組情報が含んでいる全ての無料番組のタイトルである無料番組『ＰＭ８：３０からの郷土劇場  踊れわれら宮城○○○』、無料番組『ＰＭ１１：００からのＳｈｏｗｂｉｚ  Ｅｘｔｒｅ』が表示されている。同様に、各チャンネルにおいて、有料番組は削除されて表示されず、その電子番組情報が含んでいる全ての無料番組のタイトルが表示されている。
【００３９】
これにより、ユーザは、現在の電子番組情報が含んでいる各チャンネルのＣＳ放送の数少ない無料放送の全てを容易に知ることができ、又、有料番組は表示されていない。これにより、有料放送の視聴契約をしていないユーザが視聴することができる番組の全てを非常に容易に知ることができるので、今まで利用されなかったＢＳ放送やＣＳ放送の視聴を容易に行なうことができる。
【００４０】
＜放送受信装置への適用＞
又、図７のフローチャートで説明した番組表の表示機能については、上述した放送受信装置１０だけに適用が可能ではなく、例えば、録画機能を有した放送受信装置１０であるハードディスクレコーダ等において、同様に適用が可能である。
【００４１】
この場合、図２乃至図５に示す番組表において、所望の番組をリモコンＲのカーソル等により特定することで、図１の録画予約部４２の働きにより、図８に示す録画予約画面等で、例えば、ＣＳ放送の無料番組『坂本竜馬スペシャル』を録画予約することができる。これによって、放送時間になると、録画予約された無料番組『坂本竜馬スペシャル』の映像音声信号がハードディスクドライブ部１８等に記録処理されるものである。
【００４２】
このように、本発明の一実施形態である放送受信装置においては、ＣＳ放送等のようにそのほとんどが有料番組であるが一部が無料番組である放送について、リモコンのモードスイッチ等を操作することで、（全ての）無料番組だけを画面表示するものである。これにより、未契約者であっても、数少ない無料番組の存在だけをまとめて認識することができるので、従来のようにチューナ機能があっても全く利用しない等の不具合を解消し、利用の機会を格段に向上させることが可能となるものである。
【００４３】
以上記載した様々な実施形態により、当業者は本実施形態を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００４４】
【図１】本発明の一実施形態に係る放送記録装置の構成の一例を示すブロック図。
【図２】同じく放送記録装置が表示するＢＳ無料番組表の一例を示す説明図。
【図３】同じく放送記録装置が表示するＢＳ無料番組表（密表示）の一例を示す説明図。
【図４】同じく放送記録装置が表示するＣＳ無料番組表の一例を示す説明図。
【図５】同じく放送記録装置が表示するＣＳ無料番組表（密表示）の一例を示す説明図。
【図６】同じく放送記録装置が扱うリモコン装置の一例を示す説明図。
【図７】同じく放送記録装置における番組表の表示動作の一例を示すフローチャート。
【図８】同じく放送記録装置が表示する録画予約画面の一例を示す説明図。
【符号の説明】
【００４５】
１１…通信部、１２…ＢＳ／ＣＳチューナ部、１３…地上波チューナ部、１８…ハードディスクドライブ部、１９…光ディスクドライブ部、２０…データ編集部、２１…エンコーダ部、２２…バッファ部、２３…ＭＰＥＧデコーダ部、２４…音声映像処理部、２７…Ｉ／Ｆ部、２８…多重化部、２９…分離部、３０…制御部、３２…操作部、３３…表示部、Ｒ…リモコン、４１…受像機、４２…予約録画部、４３…番組表生成部／無料番組判断部。
【図１】
2007208307.tif 000003
【図２】
2007208307.tif 000004
【図３】
2007208307.tif 000005
【図４】
2007208307.tif 000006
【図５】
2007208307.tif 000007
【図６】
2007208307.tif 000008
【図７】
2007208307.tif 000009
【図８】
2007208307.tif 000010